(57)【要約】【課題】排水管下流側における尿石の付着堆積の抑制に有効な便器洗浄装置を提供する。【解決手段】流体入口部と流体出口部とを有し、尿石除去可能な酸性水を生成する酸性水生成装置と、酸性水生成装置で生成された酸性水を、各排水口が共通の排水管に接続された複数の便器に供給する酸性水供給流路と、酸性水の供給タイミングを検知する検知手段と、検知手段が酸性水の供給タイミングを検知した場合に、複数の小便器に同時に酸性水を流す酸性水供給モードを実行する制御装置と、を備えている。【選択図】図１
2007321372.tif 000002
【特許請求の範囲】
【請求項１】
流体入口部と流体出口部とを有し、尿石除去可能な酸性水を生成する酸性水生成装置と、
前記酸性水生成装置で生成された酸性水を、各排水口が共通の排水管に接続された複数の便器内、前記各排水口近傍の前記排水管内、および前記各排水口と前記排水管とを接続する配管内の少なくともいずれかに供給する複数の酸性水供給流路と、
酸性水の供給タイミングを検知する検知手段と、
前記検知手段が酸性水の供給タイミングを検知した場合に、前記複数の酸性水供給流路からそれぞれ前記排水管内に流れ込んだ酸性水が前記排水管内で合流するタイミングで前記複数の酸性水供給流路に酸性水を流す酸性水供給モードを実行する制御装置と、
を備えたことを特徴とする便器洗浄装置。
【請求項２】
流体入口部と流体出口部とを有し、尿石除去可能な酸性水を生成する複数の酸性水生成装置と、
前記複数の酸性水生成装置のそれぞれで生成された酸性水を、各排水口が共通の排水管に接続された複数の便器内、前記各排水口近傍の前記排水管内、および前記各排水口と前記排水管とを接続する配管内の少なくともいずれかに供給する複数の酸性水供給流路と、
酸性水の供給タイミングを検知する検知手段と、
前記検知手段が酸性水の供給タイミングを検知した場合に、前記複数の酸性水供給流路からそれぞれ前記排水管内に流れ込んだ酸性水が前記排水管内で合流するタイミングで前記複数の酸性水供給流路に酸性水を流す酸性水供給モードを実行する制御装置と、
を備えたことを特徴とする便器洗浄装置。
【請求項３】
前記便器内に洗浄水を供給する洗浄水供給手段をさらに備え、
前記制御装置は、前記酸性水供給モードと、前記便器内に洗浄水が供給される洗浄水供給モードと、が同時に実行されることを禁止することを特徴とする請求項１または２に記載の便器洗浄装置。
【請求項４】
複数の便器のうち少なくとも一つの便器内に洗浄水を供給しているときには、前記制御装置は、他の便器内、前記排水管内および前記配管内に酸性水を供給することを禁止することを特徴とする請求項３記載の便器洗浄装置。
【請求項５】
複数の便器のうち少なくとも一つの便器内、前記排水管内および前記配管内の少なくともいずれかに酸性水を供給しているときには、前記制御装置は、他の便器内に洗浄水を供給することを禁止することを特徴とする請求項３または４に記載の便器洗浄装置。
【請求項６】
前記酸性水供給モードの実行中に前記便器の使用が検知された場合、前記制御装置は、前記酸性水供給モードの終了後、所定時間経過後に前記洗浄水供給モードを実行することを特徴とする請求項３〜５のいずれか１つに記載の便器洗浄装置。
【発明の詳細な説明】
【技術分野】
【０００１】
本発明は、便器洗浄装置に関し、特に酸性水の供給機能を有する便器洗浄装置に関する。
【背景技術】
【０００２】
水洗便器は、使用者のボタン操作等による手動洗浄、あるいは、便器の前に人が立ったことを人体センサが検知し便器の使用が終了した時点で自動的に上水又は中水等の洗浄水を流す自動洗浄により清浄度が維持される。しかし、小便器や大便器においては、「尿石」が配管内に付着して排水の通過路を狭くしたり、便器の表面に付着して外観を損ね、細菌繁殖の温床となって臭気を放つようになることがある。一旦付着してしまった尿石は、通常の清掃では除去することは難しく、ブラシで強く擦らないと取れない。また、排水管に形成蓄積された尿石を、ブラシ等を用いて直接除去することが極めて困難なため、この尿石の除去は、専門の業者に依頼する必要があり、大きな負担となっている。そこで、例えば特許文献１には、尿石の析出防止を図るべく、遊離塩素含有水（酸性水）を便器に流すことが開示されている。
【０００３】
複数の小便器が共通の横引き排水管に接続された構成においては、尿石は、すべての小便器からの排水が通過する下流側部分に最も多く付着する傾向にある。すなわち、複数の小便器からの排水が同時に流れた場合、それら排水の合流後の排水管内の喫水面（水位）が高くなるため、排水管内壁面の上側にも尿石が付着し、排水管内壁面全周への尿石付着堆積量が多くなる。
【特許文献１】特許第３０３１２８０号公報
【発明の開示】
【発明が解決しようとする課題】
【０００４】
本発明は、排水管下流側における尿石の付着堆積の抑制に有効な便器洗浄装置を提供する。
【課題を解決するための手段】
【０００５】
本発明の一態様によれば、流体入口部と流体出口部とを有し、尿石除去可能な酸性水を生成する酸性水生成装置と、前記酸性水生成装置で生成された酸性水を、各排水口が共通の排水管に接続された複数の便器内、前記各排水口近傍の前記排水管内、および前記各排水口と前記排水管とを接続する配管内の少なくともいずれかに供給する複数の酸性水供給流路と、酸性水の供給タイミングを検知する検知手段と、前記検知手段が酸性水の供給タイミングを検知した場合に、前記複数の酸性水供給流路からそれぞれ前記排水管内に流れ込んだ酸性水が前記排水管内で合流するタイミングで前記複数の酸性水供給流路に酸性水を流す酸性水供給モードを実行する制御装置と、を備えたことを特徴とする便器洗浄装置が提供される。
また、本発明の他の一態様によれば、流体入口部と流体出口部とを有し、尿石除去可能な酸性水を生成する複数の酸性水生成装置と、前記複数の酸性水生成装置のそれぞれで生成された酸性水を、各排水口が共通の排水管に接続された複数の便器内、前記各排水口近傍の前記排水管内、および前記各排水口と前記排水管とを接続する配管内の少なくともいずれかに供給する複数の酸性水供給流路と、酸性水の供給タイミングを検知する検知手段と、前記検知手段が酸性水の供給タイミングを検知した場合に、前記複数の酸性水供給流路からそれぞれ前記排水管内に流れ込んだ酸性水が前記排水管内で合流するタイミングで前記複数の酸性水供給流路に酸性水を流す酸性水供給モードを実行する制御装置と、を備えたことを特徴とする便器洗浄装置が提供される。
【発明の効果】
【０００６】
本発明によれば、排水管下流側における尿石の付着堆積の抑制に有効な便器洗浄装置が提供される。
【発明を実施するための最良の形態】
【０００７】
以下、図面を参照し、本発明の実施形態について説明する。  
なお、以下の説明においては、小便器を対象とした洗浄について説明するが、大便器の洗浄にも本発明は適用可能である。
【０００８】
図１は、本発明の実施形態に係る便器洗浄装置の構成を例示する模式図である。  
本実施形態に係る洗浄装置は、共通の排水管（いわゆる横引き排水管）５８に接続された複数の小便器（例えば図示の例では３つであるがこれに限らない）１ａ〜１ｃに洗浄水や酸性水を供給する。
【０００９】
例えば水道水等が給水される給水管（給水流路）３は、洗浄水供給流路６４ａ、６４ｂ、６４ｃを介して、小便器１ａ、１ｂ、１ｃ内に接続している。各洗浄水供給流路６４ａ、６４ｂ、６４ｃの途上には、給水弁６１ａ、６１ｂ、６１ｃが、それぞれ設けられている。
【００１０】
また、給水管３は、給水弁６１ａ、６１ｂ、６１ｃよりも上流で、分岐流路６６を介して、酸性水生成装置１５の流体入口部に接続されている。分岐流路６６の途上には、開閉弁６３が設けられている。酸性水生成装置１５の流体出口部は、酸性水供給流路６８ａ、６８ｂ、６８ｃを介して、小便器１ａ、１ｂ、１ｃ内に接続している。各酸性水供給流路６８ａ、６８ｂ、６８ｃの途上には、開閉弁６２ａ、６２ｂ、６２ｃが、それぞれ設けられている。また、酸性水生成装置１５で生成した酸性水が上流側に逆流しないように酸性水生成装置１５の流体入口部もしくは分岐流路６６の途上に逆流防止手段（例えば逆止弁など）（図示省略）が設けられている。
【００１１】
給水弁６１ａ〜６１ｃ、開閉弁６３、６２ａ〜６２ｃは、制御装置２０の制御に基づき開閉される電磁弁である。
【００１２】
また、小便器１ａ、１ｂ、１ｃのそれぞれの使用を検知する第一の検知手段１７ａ、１７ｂ、１７ｃが設けられている。さらに、小便器１ａ、１ｂ、１ｃのそれぞれへの酸性水の供給タイミングを検知する第二の検知手段１９ａ、１９ｂ、１９ｃが設けられている。第二の検知手段は、必ずしもそれぞれの小便器に個別に対応させて設ける必要はなく、各小便器に共通な１つだけとしてもよい。
【００１３】
第一の検知手段１７ａ、１７ｂ、１７ｃは、自動洗浄式の場合には、小便器１ａ、１ｂ、１ｃの前に立った使用者を検知する例えば赤外線センサ等の人体検知センサであり、手動洗浄式の場合には、例えば使用者が行うボタン操作等の洗浄水吐水要求操作を検知する。
【００１４】
第二の検知手段１９ａ、１９ｂ、１９ｃは、例えば、小便器１ａ、１ｂ、１ｃの使用回数（洗浄水の供給回数）をカウントし、使用回数が所定値に達した場合に、酸性水の供給タイミングとして検知する。尚、複数の小便器のトータル使用回数が所定値に達した場合であってもよいし、複数の小便器のうち少なくとも一つの小便器が所定の使用回数に達した場合に全ての小便器を「酸性水供給モード」にしてもよい。あるいは、第二の検知手段１９ａ、１９ｂ、１９ｃは、所定の時刻または所定の時間が経過した場合に、酸性水の供給タイミングとして検知する。あるいは、第二の検知手段１９ａ、１９ｂ、１９ｃは、例えば過去数日間の小便器１ａ、１ｂ、１ｃの使用頻度データに基づいて統計的に酸性水を供給するタイミングを検知するようにしてもよい。
【００１５】
小便器１ａの底部に設けられた排水口は、縦配管３４ａ（封水部含む）を介して、下流側に向けて若干下向き傾斜して配設された横引き排水管５８の上流側に接続されている。小便器１ｂの底部に設けられた排水口は、縦配管３４ｂを介して、小便器１ａよりも下流側で、横引き排水管５８に接続されている。小便器１ｃの底部に設けられた排水口は、縦配管３４ｃを介して、小便器１ｂよりも下流側で、横引き排水管５８に接続されている。
【００１６】
開閉弁６３が開にされると、給水管３からの水道水等が、分岐流路６６を介して、酸性水生成装置１５に供給される。酸性水生成装置１５は、例えば、放電器で空気を分解して生成した窒素酸化物を主成分とする酸化窒素ガスを貯水部内の水に溶解させて硝酸水溶液等の酸性水を生成する。あるいは、酸性水生成装置１５は、水の電気分解を利用して酸性水を生成するものでもよく、さらには、有機酸、無機酸などの薬剤を水に添加することで酸性水を生成するものでもよい。すなわち、酸性水生成装置１５は、尿石除去可能な酸性水を生成できる機能を有していればよく、酸性水生成方法や装置構成は特に限定されない。
【００１７】
酸性水生成装置１５で生成された酸性水は、開閉弁６２ａが開にされることで、酸性水供給流路６８ａを介して小便器１ａ内に供給される。
【００１８】
制御装置２０は、第一の検知手段１７ａ〜１７ｃのそれぞれの検知情報に基づいて、対応する各給水弁６１ａ〜６１ｃを開にして、各小便器１ａ〜１ｃに洗浄水を供給する「洗浄水供給モード」と、第二の検知手段１９ａ〜１９ｃのそれぞれの検知情報が所定値に達した場合に、開閉弁６３および対応する各開閉弁６２ａ〜６２ｃを開にして、各小便器１ａ〜１ｃに酸性水を供給する「酸性水供給モード」と、を実行可能である。
【００１９】
「洗浄水供給モード」においては、第一の検知手段１７ａ〜１７ｃとして、例えば人体センサからの人体検知信号により、小便器１ａ〜１ｃが使用されたことを検知して、第一の検知手段１７ａ〜１７ｃに対応した小便器１ａ〜１ｃに給水管３より洗浄水が供給されて水洗洗浄が実施される。または、小便器１ａ〜１ｃを使用する使用者がバルブやボタンなどを操作することにより、第一の検知手段１７ａ〜１７ｃに対応した小便器１ａ〜１ｃに洗浄水を流すようにしてもよい。
【００２０】
「酸性水供給モード」においては、開閉弁６３及び各開閉弁６２ａ〜６２ｃが開き、給水管３から酸性水生成装置１５に給水が行われ、この酸性水生成装置１５で生成された酸性水が、酸性水供給流路６８ａ〜６８ｃを介して、小便器１ａ〜１ｃに供給される。これにより、小便器１ａ〜１ｃや、この排水口の下流側に接続された排水管３４ａ〜３４ｃ、さらには横引き排水管５８における尿石の形成を予防しつつ、すでに形成蓄積された尿石を溶解除去することができる。
【００２１】
次に、図２は、横引き排水管５８において、小便器１ａの接続部と小便器１ｂの接続部との間の部分５８ａ、小便器１ｂの接続部と小便器１ｃの接続部との間の部分５８ｂ、および小便器１ｃの接続部より下流側の部分５８ｃのそれぞれにおける尿石の付着具合を模式的に表した図である。
【００２２】
尿石は、すべての小便器１ａ〜１ｃからの排水が通過する部分５８ｃに最も多く付着する。部分５８ａには、小便器１ａからの排水しか流れないため尿石付着量は少なく、排水管底部への局所的な付着堆積にとどまる。部分５８ｂには、小便器１ａ及び小便器１ｂからの排水が通過するため部分５８ａより尿石の付着堆積量は多い。小便器１ａ及び小便器１ｂからの排水が同時に部分５８ｂに流れた場合、それら排水の合流後の排水管内の喫水面（水位）が高くなるため、排水管内壁面の上側にも尿石が付着し、最も下流側の部分５８ｃでは、排水管内壁面全周への尿石付着堆積量の増大が顕著になる。
【００２３】
部分５８ｃの全周に付着した尿石を除去するためには、その部分５８ａに多量の酸性水を流す必要がある。そこで、本実施形態では、「酸性水供給モード」実行時、制御装置２０は、各酸性水供給流路６８ａ〜６８ｃから、各小便器１ａ〜１ｃ、各配管３４ａ〜３４ｃを介して横引き排水管５８内に流れ込んだ酸性水がその排水管５８内で合流するようなタイミングで酸性水を供給する。例えば、図３に表すように、第二の検知手段１９ａ〜１９ｃのいずれかが小便器１ａ〜１ｃのいずれかの酸性水供給タイミングを検知すると、制御装置２０は、すべての小便器１ａ〜１ｃ内に同時に酸性水を供給し始める。
【００２４】
そして、酸性水の供給を停止するタイミングは、横引き排水管５８の下流側に接続された小便器ほど遅くなるようにする。  
小便器１ａ内を流れた酸性水が部分５８ｂに至ったときに小便器１ｂ内を流れた酸性水が部分５８ｂを流れていて、両小便器１ａ及び１ｂ内を流れた酸性水が部分５８ｂで合流することができるように、小便器１ａの酸性水停止タイミングに対して小便器１ｂの停止タイミングが遅れて設定される。  
部分５８ｂで合流した上記酸性水が部分５８ｃに至ったときに小便器１ｃ内を流れた酸性水が部分５８ｃを流れていて、すべての小便器１ａ〜１ｃ内を流れた酸性水が部分５８ｃで合流することができるように、小便器１ｂの酸性水停止タイミングに対して小便器１ｃの停止タイミングが遅れて設定される。
【００２５】
これにより、部分５８ａより部分５８ｂ、部分５８ｂより部分５８ｃというように横引き排水管５８の下流側になればなるほど、酸性水の喫水面（水位）を高くすることができ、尿石の付着堆積量が多くなりがちな横引き排水管５８下流側部分における尿石の内壁面全周への付着堆積を予防しつつ、内壁面全周に付着堆積した尿石を溶解除去できる。
【００２６】
なお、上記「酸性水供給モード」実行時、すべての小便器１ａ〜１ｃ内に酸性水を流すことに限らず、小便器１ａ〜小便器１ｃのうち少なくとも２つに酸性水を流して、それら酸性水が横引き排水管５８内で合流するようにすれば、横引き排水管下流側における酸性水の水位上昇を図れる。
【００２７】
また、図４に表す他の具体例のように、各小便器１ａ〜１ｃを流れた酸性水が横引き排水管５８下流側部分で合流するように、横引き排水管５８の上流側に接続された小便器から順に時間をずらして「酸性水供給モード」の実行を開始してもよい。すなわち、横引き排水管５８の下流側に接続された小便器の方が上流側に接続された小便器よりも遅れて酸性水が流れ始め、且つ下流側の小便器ほど酸性水の停止タイミングを遅らせている。小便器１ａ内を流れた酸性水と小便器１ｂ内を流れた酸性水とが部分５８ｂで合流するように、且つすべての小便器１ａ〜１ｃ内を流れた酸性水が部分５８ｃで合流するように、各小便器１ａ〜１ｃの酸性水供給開始タイミング及び停止タイミングが適切に設定される。本具体例においても、横引き排水管５８下流側部分における酸性水の喫水面（水位）を高くすることができ、その部分における尿石の内壁面全周への付着堆積を予防しつつ、内壁面全周に付着堆積した尿石を溶解除去できる。
【００２８】
さらに本具体例では、酸性水の供給開始タイミングを下流側の小便器ほど遅らせているので、上流側の酸性水が合流する前に、部分５８ｂを流れる小便器１ｂを経た酸性水の量、および部分５８ｃを流れる小便器１ｃを経た酸性水の量を極力少なくでき、より少ない量の酸性水で効率的に尿石を除去できる。
【００２９】
また、小便器１ａ〜１ｃが「酸性水供給モード」となり、小便器１ａ〜１ｃのいずれかが「洗浄水供給モード」となった場合には、特に上記部分５８ｂ、５８ｃでは、酸性水が洗浄水によって希釈されてしまい、排水管下流側での尿石溶解作用が低下し、また効率的に酸性水を利用できていないことになり無駄である。
【００３０】
そこで、小便器１ａ〜１ｃが「酸性水供給モード」に入ったら、小便器１ａ〜１ｃ全ての「洗浄水供給モード」の実行を禁止するようにする。  
図５は、その場合の各動作のタイミングチャートの具体例を表す。
【００３１】
例えば、小便器１ａの使用を検知する第一の検知手段１７ａの検知と、第二の検知手段１９ａ〜１９ｃのいずれかの検知と、が同時に起こった場合には、小便器１ａ〜１ｃの「酸性水供給モード」を優先させて、前述した図３または図４のような「酸性水供給モード」を実行する。そして、この「酸性水供給モード」の終了後（酸性水停止タイミングが最も遅い最下流側の小便器１ｃの酸性水供給モード終了後）、所定時間ｔ１経過後に、小便器１ａの「洗浄水供給モード」を実行して小便器１ａに洗浄水を流す。「酸性水供給モード」終了直後に洗浄水を流さず、所定時間ｔ１経過後に洗浄水を流すことで、酸性水と洗浄水との合流を確実に防ぐことができる。特に酸性水は尿石との接触時間を長くする目的、また、少量の酸性水を尿石と接触させるために洗浄水に比べて流速・流量を小さくすることが好ましいため、先に流した酸性水に後から流した洗浄水が追いつかないように防止する意味でも、酸性水吐水後の所定時間は洗浄水の吐水を禁止もしくは待機させることが重要となる。  
また、小便器１ａ〜１ｃの「酸性水供給モード」の実行中に第一の検知手段１７ｂが小便器１ｂの使用を検知した場合には、やはり「酸性水供給モード」の終了後（酸性水停止タイミングが最も遅い最下流側の小便器１ｃの酸性水供給モード終了後）、所定時間ｔ１経過後に、小便器１ｂの「洗浄水供給モード」を実行して小便器１ｂに洗浄水を流す。このようにすることで、排水管５８の下流側で、酸性水と洗浄水とが混ざり合って酸性水が希釈されることが防げる。この結果、酸性水が所望のｐＨよりも上昇することを抑えて、尿石の溶解除去効果の低下を防げる。
【００３２】
図６は、小便器１ａ〜１ｃの「酸性水供給モード」と、小便器１ａ〜１ｃの「洗浄水供給モード」との同時実行を禁止する場合における各動作タイミングチャートのさらに他の具体例を表す。
【００３３】
本具体例では、第一の検知手段１７ａの検知による小便器１ａの「洗浄水供給モード」実行中に、第二の検知手段１９ａ〜１９ｃのいずれかによって小便器１ａ〜１ｃへの酸性水供給タイミングが検知された場合には、小便器１ａの「洗浄水供給モード」終了から所定時間後または「洗浄水供給モード」終了直後から、小便器１ａ〜１ｃの「酸性水供給モード」を実行する。また、小便器１ａ〜１ｃの「酸性水供給モード」実行中に、第一の検知手段１７ｃが小便器１ｃの使用を検知した場合には、小便器１ａ〜１ｃの「酸性水供給モード」の終了後（酸性水停止タイミングが最も遅い最下流側の小便器１ｃの酸性水供給モード終了後）、所定時間ｔ１経過後に、小便器１ｃの「洗浄水供給モード」を実行する。本具体例においても、排水管５８の下流側で、酸性水と洗浄水とが混ざり合って酸性水が希釈されることが防げる。
【００３４】
酸性水は各小便器１ａ〜１ｃ内に供給することに限らない。例えば、図７に表すように、それぞれの酸性水供給流路７１ａ〜７１ｃを、横引き排水管５８において、各小便器１ａ〜１ｃとの接続部近傍（各小便器１ａ〜１ｃの各排水口に接続された各配管３４ａ〜３４ｃの近傍）に接続させて、その部分に酸性水を供給するようにしてもよい。この場合でも、前述したようなタイミングで各酸性水供給流路７１ａ〜７１ｃに酸性水を流すことで、横引き排水管５８の下流側を流れる酸性水の量を多くできる。
【００３５】
あるいは、図８に表すように、各酸性水供給流路７２ａ〜７２ｃを、それぞれ、縦配管３４ａ〜３４ｃに接続させて、その縦配管３４ａ〜３４ｃに酸性水を供給するようにしてもよい。もちろん、小便器１ａ〜１ｃ内、配管３４ａ〜３４ｃ内およびこの近傍の横引き排水管５８内のすべて、もしくはいずれか２箇所に酸性水が供給される構成であってもよい。
【００３６】
また、図９に表すように、それぞれの酸性水供給流路６８ａ〜６８ｃに対応させて、複数の酸性水生成装置１５ａ〜１５ｃを設けてもよい。  
酸性水供給流路６８ａの一端は、酸性水生成装置１５ａの流体出口部に接続され、その酸性水生成装置１５ａの流体入口部は分岐流路６６ａを介して給水流路３に接続されている。分岐流路６６ａの途上には開閉弁６３ａが設けられ、小便器１ａ内に酸性水を供給するときには開閉板６３ａは開にされる。  
同様に、酸性水供給流路６８ｂの一端は、酸性水生成装置１５ｂの流体出口部に接続され、その酸性水生成装置１５ｂの流体入口部は分岐流路６６ｂを介して給水流路３に接続されている。分岐流路６６ｂの途上には開閉弁６３ｂが設けられ、小便器１ｂ内に酸性水を供給するときには開閉弁６３ｂは開にされる。  
同様に、酸性水供給流路６８ｃの一端は、酸性水生成装置１５ｃの流体出口部に接続され、その酸性水生成装置１５ｃの流体入口部は分岐流路６６ｃを介して給水流路３に接続されている。分岐流路６６ｃの途上には開閉弁６３ｃが設けられ、小便器１ｃ内に酸性水を供給するときには開閉弁６３ｃは開にされる。
【００３７】
以上、具体例を参照しつつ本発明の実施形態について説明した。しかし、本発明は、それらに限定されるものではなく、本発明の技術的思想に基づいて種々の変形が可能である。
【００３８】
酸性水の供給タイミングを検知する第二の検知手段は、各小便器ごとに対応させて設けず、各小便器に共通な１つだけとしてもよい。
【図面の簡単な説明】
【００３９】
【図１】本発明の実施形態に係る便器洗浄装置の構成を例示する模式図である。
【図２】横引き排水管における各部分の尿石付着具合を模式的に表した図である。
【図３】複数の小便器に同時に「酸性水供給モード」が実行されるタイミングチャートの具体例を表す模式図である。
【図４】複数の小便器に同時に「酸性水供給モード」が実行されるタイミングチャートの他の具体例を表す模式図である。
【図５】「酸性水供給モード」と「洗浄水供給モード」との同時実行を禁止する場合における動作タイミングチャートの具体例を表す模式図である。
【図６】「酸性水供給モード」と「洗浄水供給モード」との同時実行を禁止する場合における動作タイミングチャートの他の具体例を表す模式図である。
【図７】本発明の他の実施形態に係る便器洗浄装置の構成を例示する模式図である。
【図８】本発明のさらに他の実施形態に係る便器洗浄装置の構成を例示する模式図である。
【図９】本発明のさらに他の実施形態に係る便器洗浄装置の構成を例示する模式図である。
【符号の説明】
【００４０】
１ａ〜１ｃ…小便器、３…給水管（給水流路）、１５…酸性水生成装置、１７ａ〜１７ｃ…第一の検知手段、１９ａ〜１９ｃ…第二の検知手段、２０…制御装置、５８…横引き排水管、６４ａ〜６４ｃ…洗浄水供給流路、６６…分岐流路、６８ａ〜６８ｃ…酸性水供給流路
【図１】
2007321372.tif 000003
【図２】
2007321372.tif 000004
【図３】
2007321372.tif 000005
【図４】
2007321372.tif 000006
【図５】
2007321372.tif 000007
【図６】
2007321372.tif 000008
【図７】
2007321372.tif 000009
【図８】
2007321372.tif 000010
【図９】
2007321372.tif 000011